(57)【要約】【課題】  受信信号の有無を短い時間で検知し、受信間欠の動作を短くすることで消費電力を低減できると共に、感度劣化を防止できる無線受信機を提供する。【解決手段】  デフォルトの周波数Ｆ0 で相関ピークを検出する区間（Ｆ0 相関ピーク区間）で受信した受信キャリアデータをメモリ１８に記憶しつつ、相関ピーク検出処理を行って周波数ズレを検出し、Ｆ0 相関ピーク区間で相関ピークが検出されなければ、それに続く区間（Ｆ1 相関ピーク区間）では、無線部２０での動作をオフとし、スイッチ１９を切り替えてメモリ１８に記憶された受信キャリアデータを用いて検出された周波数ズレ量に応じた相関ピークを検出する受信間欠処理を行う無線受信機である。【選択図】        図１
2008131225.tif 000002
【特許請求の範囲】
【請求項１】
無線信号を間欠的に受信し、受信信号から相関ピークを検出する無線受信機であって、
周波数ズレに応じてキャリアデータを生成するキャリアデータ生成部と、
生成されたキャリアデータに基づいてキャリア復調を行うキャリア復調部と、
復調されたキャリアデータの相関ピークを検出する相関ピーク検出部と、
復調されたキャリアデータから粗周波数ズレを検出する粗周波数ズレ検出部と、
検出された相関ピークから微周波数ズレを検出する微周波数ズレ検出部と、
デフォルトの周波数で相関ピークを検出する第１の区間で受信信号を記憶するメモリと、
無線部における受信動作のオン／オフを制御する無線信号制御部とを有する信号処理部を備え、
前記無線信号制御部が、前記第１の区間で前記無線部での受信動作をオンにし、前記第１の区間で相関ピークが検出されない場合に、前記第１の区間に続く第２の区間で前記無線部での受信動作をオフにし、
前記キャリア復調部が、前記第２の区間で前記メモリに記憶された前記第１の区間での受信信号を入力して、前記第１の区間で検出された周波数ズレに応じて生成されたキャリアデータに基づいてキャリア復調を行い、
前記相関ピーク検出部が、前記第２の区間で前記メモリから出力された前記第１の区間での受信信号をキャリア復調したデータについて相関ピークを検出することを特徴とする無線受信機。
【請求項２】
キャリア復調部の前段に設けられ、第１の区間では受信信号を前記キャリア復調部に出力するよう接続を切り替え、第２の区間ではメモリに記憶した第１の区間での受信信号を前記キャリア復調部に出力するよう接続を切り替えるスイッチを設けたことを特徴とする請求項１記載の無線受信機。
【請求項３】
第２の区間で相関ピークが検出されると、無線信号制御部が、前記第２の区間でオフにした受信動作を一定期間オンにすることを特徴とする請求項１又は２記載の無線受信機。
【請求項４】
第２の区間でオフにした受信動作を受信信号のデータフレームにおけるプリアンブル終了時にオンにし、前記データフレームが終了するまでの一定期間をオンのままとすることを特徴とする請求項３記載の無線受信機。
【請求項５】
第２の区間で相関ピークが検出されないと、第１の区間での相関ピークの検出、続く第２の区間での相関ピークの検出を行う受信処理を間欠的に繰り返すことを特徴とする請求項１又は２記載の無線受信機。
【発明の詳細な説明】
【技術分野】
【０００１】
本発明は、双方向無線システムにおける無線受信機に係り、特に、受信間欠の時間を短くして消費電力を低減し、感度劣化を防止する無線受信機に関する。
【背景技術】
【０００２】
［双方向無線システム：図３］
従来の双方向無線システムで用いられる無線機は、スペクトラム拡散（ＳＳ：Spread Spectrum）方式を採用した微弱電波で動作する無線機である。
従来の双方向無線システムについて図３を参照しながら説明する。図３は、従来の双方向無線システムの概略図である。
従来の双方向無線システムは、送信部１ａと受信部１ｂを有する親機１の無線機と、送信部２ａと受信部２ｂを有する子機２の無線機とを備え、子機２の入力装置を動作させて、子機２から親機１に動作命令を送信し、親機１ではその命令に従って動作するようになっている。
【０００３】
また、親機１は、命令の伝達状況の応答や親機１の状態情報を子機２に送信するものである。
つまり、従来の双方向無線システムは、ＳＳを採用した双方向通信（半２重）可能な微弱無線システムとなっている。
【０００４】
上記双方向無線システムでは、子機２主導で動作するものであり、親機１は、子機２の送信を間欠受信することにより、子機２からの命令を受信し、子機２は、動作させたいときだけ、動作状態にするため、消費電力を大幅に低減できるものとなっている。
【０００５】
［従来の受信機の構成：図４］
従来の無線受信機について図４を参照しながら説明する。図４は、従来の無線受信機の構成ブロック図である。
従来の無線受信機は、図４に示すように、信号処理部１０と、無線部２０とを基本的に有している。
【０００６】
［従来の信号処理部］
そして、従来の信号処理部１０は、ＡＤＣ制御部１１と、ＡＧＣ部１２と、キャリアデータ生成部１３と、キャリア復調部１４と、相関ピーク検出部１５と、粗周波数ズレ検出部１６と、微周波数ズレ検出部１７とから構成されている。
【０００７】
従来の信号処理部１０の各部について具体的に説明する。
ＡＤＣ制御部１１は、Ａ／Ｄコンバータ（Ａ／Ｄ）への制御信号の生成と、Ａ／Ｄコンバータから受信ＩＦ信号を入力する制御を行う。
【０００８】
ＡＧＣ部１２は、ＡＤＣ制御部１１から出力される受信ＩＦ信号に対して常に設定した振幅になるよう、無線部２０内のＡＧＣアンプへ出力されるゲインコントロール信号を制御する。
【０００９】
キャリア復調部１４は、ＡＤＣ制御部１１から出力された受信ＩＦ信号に対して、ＩＦキャリア成分の除去を行い、更に、ダウンサンプル処理を行う。
【００１０】
キャリアデータ生成部１３は、粗周波数ズレ検出部１６及び微周波数ズレ検出部１７からの周波数ズレ値等に応じて周波数補正処理を行い、受信機のキャリア復調部１４及び送信機のキャリア復調部（図示せず）に供給するキャリアデータを生成する。
【００１１】
相関ピーク検出部１５は、キャリア復調部１４から出力されるキャリア復調データに対して、相関検出処理を行い、相関ピーク検出を行う。
【００１２】
粗周波数ズレ検出部１６は、キャリア復調部１４から出力されたキャリア復調データに対して、親機−子機間のＩＦキャリア周波数ズレ量に応じた残留周波数成分を検出し、周波数ズレ量をキャリアデータ生成部１３に出力する。
【００１３】
微周波数ズレ検出部１７は、ピークが検出された相関データに対して、周波数ズレ量を更に少なくするために、高い精度の周波数検出を行い、微周波数ズレ量をキャリアデータ生成部１３に出力する。
【００１４】
［従来の受信間欠処理：図５］
従来の無線受信機（親機）における受信間欠処理について図５を参照しながら説明する。図５は、従来の受信間欠処理のタイミングチャートである。
基本タイミングとして、第１に無入力（非同期）の場合、第２にＦ0 同期の場合、第３にＦ1 同期の場合に分けて説明する。
【００１５】
第１の無入力の場合、同期を検出するために、無線信号がオンすると、ＩＦキャリア周波数のデフォルト周波数Ｆ0 で一定期間、相関ピークの検出を行い、その期間に相関ピークが検出されないと、現在のキャリア周波数Ｆ1 で一定期間、相関ピークの検出を行う。
無線信号がオンの期間で、周波数Ｆ0,Ｆ1 で相関ピークが検出されないと、次の無線信号オンのときに、周波数Ｆ0,Ｆ1 での相関ピーク検出を行うものである。
【００１６】
また、第２のＦ0 同期の場合、同期検出信号（ＳＹＮＣ＿ＯＵＴ）が出力され、データフレームのデータを受信するために無線信号は一定期間オン状態に制御される。
また、第３のＦ1 同期の場合、同期検出信号（ＳＹＮＣ＿ＯＵＴ）が出力され、第２の場合と同様に、データフレームのデータを受信するために無線信号は一定期間オン状態に制御される。
【００１７】
尚、関連する先行技術として、特開平０８−２２８１７２号公報（特許文献１）、特開２００１−０９４４６２号公報（特許文献２）がある。
【００１８】
特許文献１には、通信システムにおいて、データが受信できない間、擬似ピークを入力することで、信号が受信していない期間に周波数ズレが生じないようにすることが示されている。
特許文献２には、通信システムにおいて、受信信号に追従させた受信周波数を過去の受信周波数データとして記憶し、送信周波数設定の際には記憶した受信周波数データと発信周波数の値とを平均化し、平均化した周波数を送信周波数に設定することが示されている。
【００１９】
【特許文献１】特開平０８−２２８１７２号公報
【特許文献２】特開２００１−０９４４６２号公報
【発明の開示】
【発明が解決しようとする課題】
【００２０】
しかしながら、上記従来の無線受信機では、受信信号有無の判定に時間が掛かるため、受信の動作時間が長くなり、無線受信機における消費電力を十分に低減できていないという問題点があった。
【００２１】
つまり、キャリア周波数ズレを検出するためには、ＦＦＴ（Fast Fourier Transform）演算する必要があり、時間を要する処理となっている。
上記無線受信機では、無線信号がオンしている時間が１６ｍｓであり、周波数Ｆ0 での相関ピーク検出に８データ分の受信キャリア信号が必要であって最小１６ｍｓ（拡散符号長：６４）〜最大１２８ｍｓ（拡散符号長：５１２）が必要である。更に、周波数Ｆ1 でも同様の時間が必要になる。
【００２２】
従って、無線部の動作時間は、無線部をオンにした時間（１６ｍｓ）＋Ｆ0 相関ピーク検出時間（１６〜１２８ｍｓ）＋Ｆ1 相関ピーク検出時間（１６〜１２８ｍｓ）となり、つまり、４８ｍｓ（拡散符号長：６４）〜２７２ｍｓ（拡散符号長：５１２）ということになる。
【００２３】
また、Ｆ0 相関ピークの検出区間でキャリア周波数ズレを検知し、その周波数を用いてＦ1 相関ピークの検出区間で相関ピークを検出するため、妨害波等の影響によって、Ｆ0 相関ピークの検出区間とＦ1 相関ピークの検出区間とで、キャリア周波数が異なる場合があり、その場合、誤検出したり、ピーク検出又はピーク判定ができなかったりして、感度が劣化するという問題点があった。
【００２４】
本発明は上記実情に鑑みて為されたもので、受信信号の有無を短い時間で検知し、受信間欠の動作を短くすることで消費電力を低減できると共に、感度劣化を防止できる無線受信機を提供することを目的とする。
【課題を解決するための手段】
【００２５】
上記従来例の問題点を解決するための本発明は、無線信号を間欠的に受信し、受信信号から相関ピークを検出する無線受信機であって、周波数ズレに応じてキャリアデータを生成するキャリアデータ生成部と、生成されたキャリアデータに基づいてキャリア復調を行うキャリア復調部と、復調されたキャリアデータの相関ピークを検出する相関ピーク検出部と、復調されたキャリアデータから粗周波数ズレを検出する粗周波数ズレ検出部と、検出された相関ピークから微周波数ズレを検出する微周波数ズレ検出部と、デフォルトの周波数で相関ピークを検出する第１の区間で受信信号を記憶するメモリと、無線部における受信動作のオン／オフを制御する無線信号制御部とを有する信号処理部を備え、無線信号制御部が、第１の区間で無線部での受信動作をオンにし、第１の区間で相関ピークが検出されない場合に、第１の区間に続く第２の区間で無線部での受信動作をオフにし、キャリア復調部が、第２の区間でメモリに記憶された第１の区間での受信信号を入力して、第１の区間で検出された周波数ズレに応じて生成されたキャリアデータに基づいてキャリア復調を行い、相関ピーク検出部が、第２の区間でメモリから出力された第１の区間での受信信号をキャリア復調したデータについて相関ピークを検出することを特徴とする。
【００２６】
本発明は、上記無線受信機において、キャリア復調部の前段に設けられ、第１の区間では受信信号を前記キャリア復調部に出力するよう接続を切り替え、第２の区間ではメモリに記憶した第１の区間での受信信号をキャリア復調部に出力するよう接続を切り替えるスイッチを設けたことを特徴とする。
【００２７】
本発明は、上記無線受信機において、第２の区間で相関ピークが検出されると、無線信号制御部が、第２の区間でオフにした受信動作を一定期間オンにすることを特徴とする。
【００２８】
本発明は、上記無線受信機において、第２の区間でオフにした受信動作を受信信号のデータフレームにおけるプリアンブル終了時にオンにし、データフレームが終了するまでの一定期間をオンのままとすることを特徴とする。
【００２９】
本発明は、上記無線受信機において、第２の区間で相関ピークが検出されないと、第１の区間での相関ピークの検出、続く第２の区間での相関ピークの検出を行う受信処理を間欠的に繰り返すことを特徴とする。
【発明の効果】
【００３０】
本発明によれば、無線信号を間欠的に受信し、受信信号から相関ピークを検出する無線受信機であって、周波数ズレに応じてキャリアデータを生成するキャリアデータ生成部と、生成されたキャリアデータに基づいてキャリア復調を行うキャリア復調部と、復調されたキャリアデータの相関ピークを検出する相関ピーク検出部と、復調されたキャリアデータから粗周波数ズレを検出する粗周波数ズレ検出部と、検出された相関ピークから微周波数ズレを検出する微周波数ズレ検出部と、デフォルトの周波数で相関ピークを検出する第１の区間で受信信号を記憶するメモリと、無線部における受信動作のオン／オフを制御する無線信号制御部とを有する信号処理部を備え、無線信号制御部が、第１の区間で無線部での受信動作をオンにし、第１の区間で相関ピークが検出されない場合に、第１の区間に続く第２の区間で無線部での受信動作をオフにし、キャリア復調部が、第２の区間でメモリに記憶された第１の区間での受信信号を入力して、第１の区間で検出された周波数ズレに応じて生成されたキャリアデータに基づいてキャリア復調を行い、相関ピーク検出部が、第２の区間でメモリから出力された第１の区間での受信信号をキャリア復調したデータについて相関ピークを検出する無線受信機としているので、受信信号の有無を短い時間で検知し、受信間欠の動作を短くすることで消費電力を低減できると共に、感度劣化を防止できる効果がある。
【００３１】
本発明によれば、第２の区間で相関ピークが検出されると、無線信号制御部が、第２の区間でオフにした受信動作を一定期間オンにする上記無線受信機としているので、相関のとれた受信信号のデータを取り込むことができる効果がある。
【００３２】
本発明によれば、第２の区間でオフにした受信動作を受信信号のデータフレームにおけるプリアンブル終了時にオンにし、データフレームが終了するまでの一定期間をオンのままとする上記無線受信機としているので、データフレームにおけるプリアンブル部分を取り込むことなく、無線部での省電力を実現できる効果がある。
【００３３】
本発明によれば、第２の区間で相関ピークが検出されないと、第１の区間での相関ピークの検出、続く第２の区間での相関ピークの検出を行う受信処理を間欠的に繰り返す上記無線受信機としているので、消費電力を更に低減できる効果がある。
【発明を実施するための最良の形態】
【００３４】
本発明の実施の形態について図面を参照しながら説明する。
［本発明の概要］
本発明の実施の形態に係る無線受信機は、デフォルトの周波数Ｆ0 で相関ピークを検出する区間（Ｆ0 相関ピーク区間）で受信した受信キャリアデータをメモリに記憶しつつ、相関ピーク検出処理を行って周波数ズレを検出し、Ｆ0 相関ピーク区間で相関ピークが検出されなければ、それに続く区間（Ｆ1 相関ピーク区間）では、無線部での動作をオフとし、メモリに記憶された受信キャリアデータを用いて検出された周波数ズレ量に応じた相関ピークを検出する受信間欠処理を行うようにしているので、受信信号の有無を短い時間で検知し、受信間欠の動作を短くすることで消費電力を低減できると共に、感度劣化を防止できるものである。
【００３５】
［無線受信機の構成：図１］
本発明の実施の形態に係る無線受信機について図１を参照しながら説明する。図１は、本発明の実施の形態に係る無線受信機の構成ブロック図である。
本発明の実施の形態に係る無線受信機（本受信機）は、図１に示すように、信号処理部１０と、無線部２０とを基本的に有している。
【００３６】
［信号処理部］
そして、信号処理部１０は、ＡＤＣ制御部１１と、ＡＧＣ部１２と、キャリアデータ生成部１３と、キャリア復調部１４と、相関ピーク検出部１５と、粗周波数ズレ検出部１６と、微周波数ズレ検出部１７と、メモリ１８と、スイッチ１９と、無線信号制御部１００とから構成されている。
【００３７】
本受信機の信号処理部１０の各部について具体的に説明する。
ＡＤＣ制御部１１は、Ａ／Ｄコンバータ（Ａ／Ｄ）への制御信号の生成と、Ａ／Ｄコンバータから受信ＩＦ信号を入力する制御を行う。
【００３８】
ＡＧＣ部１２は、ＡＤＣ制御部１１から出力される受信ＩＦ信号に対して常に設定した振幅になるよう、無線部２０内のＡＧＣアンプへ出力されるゲインコントロール信号を制御する。
【００３９】
キャリア復調部１４は、ＡＤＣ制御部１１から出力された受信ＩＦ信号に対して、ＩＦキャリア成分の除去を行い、更に、５１２ｋＨｚサンプリング（厳密には、５２４，２８８Ｈｚ）から２５６ｋＨｚ（厳密には、２６２，１４４Ｈｚ）にダウンサンプル処理を行う。
【００４０】
キャリアデータ生成部１３は、粗周波数ズレ検出部１６及び微周波数ズレ検出部１７からの周波数ズレ値、ＡＰＣ（自動位相制御）／ＡＦＣ（自動周波数制御）制御部（図示せず）からのＡＦＣ補正データに応じて周波数補正処理を行い、受信機のキャリア復調部１４及び送信機のキャリア復調部（図示せず）に供給するキャリアデータを生成する。
【００４１】
相関ピーク検出部１５は、キャリア復調部１４から出力されるキャリア復調データに対して、相関検出処理（３２分割相関）を行い、相関ピーク検出を行う。
尚、相関ピークは、３ビット連続で相関ピーク位置が所定範囲内であった時に検出されたものとなる。
【００４２】
粗周波数ズレ検出部１６は、キャリア復調部１４から出力されたキャリア復調データに対して、親機−子機間のＩＦキャリア周波数ズレ量に応じた残留周波数成分の検出周波数ズレ量をキャリアデータ生成部１３に出力する。
残留周波数成分の検出は、３２ポイントのＦＦＴ演算で行い、検出周波数精度は、１，０２４Ｈｚで、検出精度を上げるために、複数回、例えば最大３２回の検出結果の累積演算を行うものである。
【００４３】
微周波数ズレ検出部１７は、ピークが検出された相関データに対して、周波数ズレ量を更に少なくするために、高い精度の周波数検出をＦＦＴ演算で行い、微周波数ズレ量をキャリアデータ生成部１３に出力する。
検出処理は、相関ピークが検出されたときの３２分割位相処理データを入力し、粗周波数検出部１６と同様に３２ポイントのＦＦＴ演算処理を行う。検出精度は、６４Ｈｚである。
【００４４】
つまり、キャリア復調データには、最大±５１２Ｈｚの残留ズレ成分が残っており、ピークが検出されたときの３２分割相関検出データに、その残留ズレ成分が現れる。そのため、ピークが検出されたときの当該相関データ（３２分割分＊Ｉ，Ｑ成分＝６４ポイント）に対してＦＦＴ演算を行うことで、その残留ズレ分の周波数検出を行うことができるものである。
【００４５】
メモリ１８は、ＡＤＣ制御部１１からの受信データを記憶するメモリであり、特に、周波数Ｆ0 の相関ピーク検出処理時の受信データを入力して記憶し、周波数Ｆ1 の相関ピーク検出処理時には当該メモリ１８から周波数Ｆ0 時の受信データをキャリア復調部１４に出力する。
【００４６】
スイッチ１９は、Ｆ0 検知有効信号（Ｆ0 ＿ＳＹＥＮ）がオンのときＡＤＣ制御部１１とキャリア復調部１４とを接続し、Ｆ1 検知有効信号（Ｆ1 ＿ＳＹＥＮ）がオンのときメモリ１８とキャリア復調部１４とを接続するよう切り替わる。
Ｆ0 ＿ＳＹＥＮ，Ｆ1 ＿ＳＹＥＮは、信号処理部１０の後段の制御部から入力される。
尚、周波数Ｆ0 で相関ピークを検出している期間をＦ0 相関ピーク区間と呼び、周波数Ｆ1 で相関ピークを検出している期間をＦ1 相関ピーク区間と呼ぶこととする。
【００４７】
Ｆ0 相関ピーク区間で、ＩＦキャリア周波数のデフォルト周波数Ｆ0 で受信データの相関ピークを検出中（周波数ズレを検出している間）に、受信キャリア信号（受信データ）をメモリ１８に保存しておき、周波数ズレが検出されたら、Ｆ1 相関ピーク区間でメモリ１８に保存してある受信キャリアデータを用いて、相関ピーク検出を行う。
【００４８】
Ｆ1 相関ピーク区間で受信データを受信して相関ピークを検出するより、メモリ１８を用いて、周波数ズレ検出と相関ピーク検出が、同一受信キャリアデータで行えるため、Ｆ1 相関ピーク区間で妨害波を受けて、誤検出や検出ミスを防ぐことができる。
【００４９】
また、本受信機でメモリ１８とスイッチ１９を用いることにより、無線部２０の動作時間を従来技術と比べて、拡散符号長が６４の場合は１／３に、拡散符号長が５１２の場合は約１／２に削減できる。
無線部の動作時間は、無線部オンの時間（１６ｍｓ）＋Ｆ0 相関ピーク検出時間（１６〜１２８ｍｓ）となり、つまり、３２ｍｓ（拡散符号長：６４）〜１４４ｍｓ（拡散符号長：５１２）となる。従来技術では、４８ｍｓ（拡散符号長：６４）〜２７２ｍｓ（拡散符号長：５１２）であるから、３２ｍｓ／４８ｍｓ＝１／３（拡散符号長：６４）〜１４４ｍｓ／２７２ｍｓ≒１／２（拡散符号長：５１２）に動作時間を削減できる。
【００５０】
無線信号制御部１００は、無線部２０の各部をオン／オフ制御する信号を発生させ、無線部２０における消費電力を低減するものである。
尚、制御信号における「ＯＳＣ＿ＥＮ」は、シンセ部（ＯＳＣ，ＰＬＬ，ＶＣＯ）のオン／オフを制御し、「ＬＯ＿ＥＮ」は、ＬＯ＿ＡＭＰ部のオン／オフを制御し、「ＡＧＣ＿ＥＮ」は、受信ＡＧＣ部のオン／オフを制御し、「ＲＸ＿ＥＮ」は、受信部のオン／オフを制御する信号である。
上記において、無線信号をオフとする場合、上記制御信号が全てオフで無線部２０に出力されるものである。
【００５１】
［受信間欠の処理：図２］
次に、本受信機における処理動作について図２を参照しながら説明する。図２は、本発明の実施の形態に係る無線受信機における受信間欠の処理を示すタイミングチャートである。
基本タイミングとして、第１に無入力（非同期）の場合、第２にＦ0 同期の場合、第３にＦ1 同期の場合に分けて説明する。
【００５２】
第１の無入力の場合、同期を検出するために、無線信号がオンすると、ＩＦキャリア周波数のデフォルト周波数Ｆ0 で一定期間（Ｆ0 相関ピーク区間）、相関ピークの検出を行い、その期間の終了後に無線信号をオフにする。つまり、キャリア周波数Ｆ1 の検出区間（Ｆ1 相関ピーク区間）では、無線信号がオフとなる。
無線信号がオンの期間で、周波数Ｆ0 で相関ピークが検出されないと、無線信号がオフの期間で、メモリ１８に格納された受信キャリアデータでＦ1 相関ピーク区間に相関ピーク検出を行う。そして、このような動作を間欠的に行うものである。
【００５３】
また、第２のＦ0 同期の場合、同期検出信号（ＳＹＮＣ＿ＯＵＴ）が出力され、データフレームのデータを受信するために無線信号は一定期間オン状態に制御される。つまり、データフレームの終了までオン状態となる。
【００５４】
また、第３のＦ1 同期の場合とは、Ｆ1 相関ピーク区間でメモリ１８に格納された受信キャリアデータを用いて相関ピーク検出を行って同期が得られた場合であり、その場合、同期検出信号（ＳＹＮＣ＿ＯＵＴ）が出力され、第２の場合と同様に、データフレームのデータを受信するために無線信号は一定期間オン状態に制御される。但し、Ｆ0 相関ピーク区間終了後に無線信号が一旦オフに制御されているため、同期検出信号により無線信号をオンにする制御を行う。
【００５５】
Ｆ0 相関ピーク区間終了後に無線信号が一旦オフになり、次にオンとなるのは、データフレームにおけるプリアンブル終了時であり、オン状態は、データフレームが終了するまでの一定期間となる。
【００５６】
［実施の形態の効果］
本受信機によれば、受信キャリア信号（ＡＤＣ＿ＯＵＴ）をメモリ１８に保存することにより、間欠受信時に無線部２０の動作率を２／３〜約１／２に減らすことができるので、無線部２０の消費電力を低減できる効果がある。
【００５７】
本受信機によれば、妨害波等の影響により、Ｆ0 相関ピーク区間とＦ1 相関ピーク区間とでキャリア信号が異なった場合、周波数ズレ値が異なることが予想されるが、Ｆ0 相関ピーク区間で保持したキャリア信号で周波数ズレ値や相関ピークを検出するため、誤検出・検出ミスを減らし、相関ピークが検出される確率が向上し、相関ピーク検出の感度を向上させることができる効果がある。
【産業上の利用可能性】
【００５８】
本発明は、受信信号の有無を短い時間で検知し、受信間欠の動作を短くすることで消費電力を低減できると共に、感度劣化を防止できる無線受信機に好適である。
【図面の簡単な説明】
【００５９】
【図１】本発明の実施の形態に係る無線受信機の構成ブロック図である。
【図２】本発明の実施の形態に係る無線受信機における受信間欠の処理を示すタイミングチャートである。
【図３】従来の双方向無線システムの概略図である。
【図４】従来の無線受信機の構成ブロック図である。
【図５】従来の受信間欠処理のタイミングチャートである。
【符号の説明】
【００６０】
１０…信号処理部、  １１…ＡＤＣ制御部、  １２…ＡＧＣ部、  １３…キャリアデータ生成部、  １４…キャリア復調部、  １５…相関ピーク検出部、  １６…粗周波数ズレ検出部、  １７…微周波数ズレ検出部、  １８…メモリ、  １９…スイッチ、  ２０…無線部、  １００…無線信号制御部
【図１】
2008131225.tif 000003
【図２】
2008131225.tif 000004
【図３】
2008131225.tif 000005
【図４】
2008131225.tif 000006
【図５】
2008131225.tif 000007